(57)【要約】【課題】大掛かり且つ高価な集積シュリンク包装装置等の包装装置が不要であり、しかも集積包装開封後のゴミが少ない缶詰の集積包装手段を提供する。【解決手段】複数個の缶詰（１１）をそのバーコード（１３）の位置を揃えた状態で積み重ね、各缶詰のバーコードを読み取り不能に遮蔽し得るバーコード遮蔽用粘着テープ（１５）により、各缶詰のバーコードを読み取り不能に遮蔽した状態でこれらの缶詰を一体的に固定するようにしてなる、缶詰の集積包装手段。前記バーコード遮蔽用粘着テープには当該集積包装内の全缶詰に対応するバーコード（１７）を備えさせる。【選択図】　図１
2004083075.tif 000002
【特許請求の範囲】
【請求項１】
複数個の缶詰をそのバーコードの位置を揃えた状態で積み重ね、各缶詰のバーコードを読み取り不能に遮蔽し得るバーコード遮蔽用粘着テープにより、各缶詰のバーコードを読み取り不能に遮蔽した状態でこれらの缶詰を一体的に固定するようにしてなる、缶詰の集積包装手段。
【請求項２】
前記バーコード遮蔽用粘着テープには当該集積包装内の全缶詰に対応するバーコードを備えさせたことを特徴とする請求項１の缶詰の集積包装手段。
【請求項３】
前記バーコード遮蔽用粘着テープは積み重ねられた複数個の缶詰における最上の缶詰の上面から各缶詰の側面を経て最下の缶詰の下面に至るように該缶詰に取り付けられ、更に、該バーコード遮蔽用粘着テープとは別の補助粘着テープが当該複数個の缶詰における最上の缶詰の上面から各缶詰の側面を経て最下の缶詰の下面に至るように該缶詰に取り付けられたことを特徴とする請求項１又は２の缶詰の集積包装手段。
【請求項４】
前記バーコード遮蔽用粘着テープは積み重ねられた複数個の缶詰における最上の缶詰の上面から各缶詰の側面を経て最下の缶詰の下面に至り、更に各缶詰の反対側の側面を経て再び最上の缶詰の上面に至るように当該複数個の缶詰に巻き付けられたことを特徴とする請求項１又は２の缶詰の集積包装手段。
【請求項５】
複数個の缶詰をそのバーコードの位置を揃えた状態で積み重ね、各缶詰のバーコードを読み取り不能に遮蔽するバーコード遮蔽シートを介して該バーコート遮蔽シート上から粘着テープによりこれらの缶詰を一体的に固定するようにしてなる、缶詰の集積包装手段。
【請求項６】
前記粘着テープには当該集積包装内の全缶詰に対応するバーコードを備えさせたことを特徴とする請求項５の缶詰の集積包装手段。
【発明の詳細な説明】
【０００１】
【発明の属する技術分野】
本発明は缶詰の集積包装手段に関するものである。
【０００２】
【従来の技術】
缶詰の集積包装手段としては、図１０に示す如きものが既に使用されている。同図に示す集積包装手段は、複数個の缶詰１、１・・・をそのバーコード３、３・・・の位置を揃えて積み重ねた状態で包装用フィルム５により包装し、該包装用フィルム５には各缶詰１のバーコード３を読み取り不能に遮蔽するバーコード遮蔽印刷７を備えさせると共に集積包装内の全缶詰１、１・・・に対応するバーコード９を備えさせてなるものである。
【０００３】
即ち、店頭においては、バーコード読取装置は集積包装内の各缶詰１に付されている各々のバーコード３を読み取るのではなく、包装用フィルム５に表示されているバーコード９を読み取るのである。
【０００４】
【発明が解決しようとする課題】
しかるに、上記従来の缶詰の集積包装手段においては、次のような問題がある。
【０００５】
（イ）複数個の缶詰を積み重ねた状態で包装用フィルムにより包装するための集積シュリンク包装装置等の包装装置が必要である。このような包装装置は大掛かりなものであり、高価である。
【０００６】
（ロ）集積シュリンク包装装置の場合、複数個の缶詰をそのバーコードの位置を揃えた状態に整列させても、シュリンク装置本体に入る前のコンベヤ上で或いはシュリンク装置本体内で缶詰の整列が乱れるという問題がある。
【０００７】
（ハ）複数個の缶詰を包装するための包装用フィルムも比較的高価である。
【０００８】
（ニ）集積包装を開封した後は、包装用フィルムは比較的大きなゴミとなる。
【０００９】
本発明は、上記従来の缶詰の集積包装手段における上述の如き問題を解決しようとしてなされたものである。
【００１０】
【課題を解決するための手段】
上記課題を解決するために、本発明は下記の如き缶詰の集積包装手段を提供するものである。
【００１１】
（１）複数個の缶詰をそのバーコードの位置を揃えた状態で積み重ね、各缶詰のバーコードを読み取り不能に遮蔽し得るバーコード遮蔽用粘着テープにより、各缶詰のバーコードを読み取り不能に遮蔽した状態でこれらの缶詰を一体的に固定するようにしてなる、缶詰の集積包装手段（請求項１）。
【００１２】
（２）前記バーコード遮蔽用粘着テープには当該集積包装内の全缶詰に対応するバーコードを備えさせる（請求項２）。
【００１３】
（３）前記バーコード遮蔽用粘着テープは積み重ねられた複数個の缶詰における最上の缶詰の上面から各缶詰の側面を経て最下の缶詰の下面に至るように該缶詰に取り付けられ、更に、該バーコード遮蔽用粘着テープとは別の補助粘着テープが当該複数個の缶詰における最上の缶詰の上面から各缶詰の側面を経て最下の缶詰の下面に至るように該缶詰に取り付けられる（請求項３）。
【００１４】
（４）前記バーコード遮蔽用粘着テープは積み重ねられた複数個の缶詰における最上の缶詰の上面から各缶詰の側面を経て最下の缶詰の下面に至り、更に各缶詰の反対側の側面を経て再び最上の缶詰の上面に至るように当該複数個の缶詰に巻き付けられる（請求項４）。
【００１５】
（５）複数個の缶詰をそのバーコードの位置を揃えた状態で積み重ね、各缶詰のバーコードを読み取り不能に遮蔽するバーコード遮蔽シートを介して該バーコート遮蔽シート上から粘着テープによりこれらの缶詰を一体的に固定するようにしてなる、缶詰の集積包装手段（請求項５）。
【００１６】
（６）前記（５）の粘着テープには当該集積包装内の全缶詰に対応するバーコードを備えさせる（請求項６）。
【００１７】
なお、特許請求の範囲を含む本明細書においては、複数個の缶詰が「積み重ね」られるものとされているが、これらの缶詰の集積包装作業時には作業上の便宜のために該缶詰はバーコードの位置を揃えると共に端面を相互に接触させて水平方向に整列させた状態でバーコード遮蔽用粘着テープ、補助粘着テープ又は粘着テープにより集積包装される場合が多い。即ち、このように集積包装作業時に缶詰を水平方向に並べた状態でバーコード遮蔽用粘着テープ、補助粘着テープ又は粘着テープにより集積包装する場合も本発明の範囲内に含まれるものである。
【００１８】
【作用】
［請求項１の缶詰の集積包装手段］
バーコード遮蔽用粘着テープは、複数個の缶詰を一体的に固定する集積包装手段であると共に当該集積包装内の各缶詰のバーコードを読み取り不能に遮蔽する遮蔽手段でもある。当該集積包装内の全缶詰に対応するバーコードが缶詰における適宜の位置に表示される。店頭においては、バーコード読取装置は集積包装内の各缶詰に付されている各々のバーコードを読み取るのではなく、当該集積包装内の全缶詰に対応するバーコードを読み取るのである。
【００１９】
［請求項２の缶詰の集積包装手段］
店頭においては、バーコード読取装置は集積包装内の各缶詰に付されている各々のバーコードを読み取るのではなく、バーコード遮蔽用粘着テープに備えさせた当該集積包装内の全缶詰に対応するバーコードを読み取るのである。
【００２０】
［請求項３の缶詰の集積包装手段］
各缶詰のバーコードはバーコード遮蔽用粘着テープにより読み取り不能に遮蔽されるのであるが、複数個の缶詰はバーコード遮蔽用粘着テープと補助テープとにより集積包装される。補助テープは複数個の缶詰の固定を補助するものである。
【００２１】
［請求項４の缶詰の集積包装手段］
バーコード遮蔽用粘着テープは各缶詰のバーコードを読み取り不能に遮蔽すると共にこれらの缶詰に上下方向に一周して巻き付けられることにより該缶詰を集積包装する。
【００２２】
［請求項５の缶詰の集積包装手段］
各缶詰に付されているバーコードはバーコード遮蔽シートにより読み取り不能に遮蔽される。粘着テープはバーコード遮蔽シートの上から複数個の缶詰を一体的に固定する。当該集積包装内の全缶詰に対応するバーコードが缶詰における適宜の位置に表示される。店頭においては、バーコード読取装置は集積包装内の各缶詰に付されている各々のバーコードを読み取るのではなく、当該集積包装内の全缶詰に対応するバーコードを読み取るのである。
【００２３】
［請求項６の缶詰の集積包装手段］
店頭においては、バーコード読取装置は集積包装内の各缶詰に付されている各々のバーコードを読み取るのではなく、粘着テープに備えさせた当該集積包装内の全缶詰に対応するバーコードを読み取るのである。
【００２４】
【発明の実施の形態】
次に、本発明の実施の形態を添付図面に従って説明する。
【００２５】
本発明による缶詰の集積包装手段は、複数個の缶詰１１、１１・・・をそのバーコード１３、１３・・・の位置を揃えた状態で積み重ね（図７参照）、各缶詰１１のバーコード１３を読み取り不能に遮蔽し得るバーコード遮蔽用粘着テープ１５により、各缶詰１１のバーコード１３を読み取り不能に遮蔽した状態でこれらの缶詰１１、１１・・・を一体的に固定するようにしてなるものである。図１参照。
【００２６】
バーコード遮蔽用粘着テープ１５は、例えばカラーテープ等の不透明な粘着テープ或はバーコード遮蔽印刷を施した粘着テープとするが、各缶詰１１のバーコード１３を読み取り不能に遮蔽し得るものであればいかなる粘着テープであっても差し支えない。
【００２７】
バーコード遮蔽用粘着テープ１５には当該集積包装内の全缶詰１１、１１・・・に対応するバーコード１７を備えさせることが望ましい。図２参照。
【００２８】
図１、図２、図５に示す事例においては、前記バーコード遮蔽用粘着テープ１５は積み重ねられた複数個の缶詰１１、１１・・・における最上の缶詰１１の上面１１ａから各缶詰１１の側面１１ｂを経て最下の缶詰１１の下面１１ｃに至るように該缶詰１１、１１・・・に取り付けられ、更に、該バーコード遮蔽用粘着テープ１５とは別の補助粘着テープ１９が当該複数個の缶詰１１、１１・・・における最上の缶詰１１の上面１１ａから各缶詰１１の側面１１ｂを経て最下の缶詰１１の下面１１ｃに至るように該缶詰１１、１１・・・に取り付けられている。補助粘着テープ１９は単数であっても複数であっても差し支えない。補助粘着テープ１９が単数の場合には、バーコード遮蔽用粘着テープ１５と補助粘着テープ１９とは相互に１８０度の角度間隔を置いて缶詰１１、１１・・・に取り付けることが望ましい。なお、バーコード遮蔽用粘着テープ１５と補助粘着テープ１９はいずれも缶詰１１、１１・・・の側面１１ｂ、１１ｂ・・・についてのみ取り付けても差し支えない。
【００２９】
図３、図４、図６に示す事例においては、前記バーコード遮蔽用粘着テープ１５は積み重ねられた複数個の缶詰１１、１１・・・における最上の缶詰１１の上面１１ａから各缶詰１１の側面１１ｂを経て最下の缶詰１１の下面１１ｃに至り、更に各缶詰１１の反対側の側面１１ｂを経て再び最上の缶詰１１の上面１１ａに至るように当該複数個の缶詰１１、１１・・・に巻き付けられている。
【００３０】
図８に示す事例においては、複数個の缶詰１１、１１・・・をそのバーコード１３の位置を揃えた状態で積み重ね、各缶詰１１のバーコード１３を読み取り不能に遮蔽するバーコード遮蔽シート２１を介して該バーコート遮蔽シート２１上から粘着テープ２３によりこれらの缶詰１１、１１・・・を一体的に固定している。バーコート遮蔽シート２１には例えば宣伝用の葉書が含まれる。また、粘着テープ２３は単数本使用しても複数本使用しても差し支えない。更に、粘着テープ２３は、図３、図４、図６に示す上記事例と同様に、積み重ねられた複数個の缶詰１１、１１・・・における最上の缶詰１１の上面１１ａから各缶詰１１の側面１１ｂを経て最下の缶詰１１の下面１１ｃに至り、更に各缶詰１１の反対側の側面１１ｂを経て再び最上の缶詰１１の上面１１ａに至るように当該複数個の缶詰１１、１１・・・に巻き付けてもよい。
【００３１】
前記の粘着テープ２３には当該集積包装内の全缶詰１１、１１・・・に対応するバーコード２５を備えさせることが望ましい。図９参照。
【００３２】
【発明の効果】
本発明は下記の如き優れた効果を発揮する。
【００３３】
（１）本発明においては、大掛かり且つ高価な集積シュリンク包装装置等の包装装置が不要である。
【００３４】
（２）本発明によれば、複数個の缶詰をそのバーコードの位置を揃えた状態でテープを取り付ければ、缶詰の整列が乱れるおそれはない。
【００３５】
（３）バーコード遮蔽用粘着テープは包装用フィルムに比べて安価である。
【００３６】
（４）バーコード遮蔽用粘着テープは、包装用フィルムに比べて使用量が極めて少ないため、集積包装を開封した後のゴミ処理の面でも有利である。
【図面の簡単な説明】
【図１】本発明による缶詰の集積包装手段の一例を示す斜視図である。
【図２】本発明による缶詰の集積包装手段の別の一例を示す斜視図である。
【図３】本発明による缶詰の集積包装手段の更に別の一例を示す斜視図である。
【図４】本発明による缶詰の集積包装手段の更に別の一例を示す斜視図である。
【図５】図１又は図２の缶詰の集積包装手段を示す側面図である。
【図６】図３又は図４の缶詰の集積包装手段を示す側面図である。
【図７】複数個の缶詰をそのバーコードの位置を揃えて積み重ねた状態を示す斜視図である。
【図８】本発明による缶詰の集積包装手段の更に別の一例を示す正面図である。
【図９】本発明による缶詰の集積包装手段の更に別の一例を示す正面図である。
【図１０】従来の缶詰の集積包装手段を示す斜視図である。
【符号の説明】
１　缶詰
３　バーコード
５　包装用フィルム
７　バーコード遮蔽印刷
９　バーコード
１１　缶詰
１１ａ　上面
１１ｂ　側面
１１ｃ　下面
１３　バーコード
１５　バーコード遮蔽用粘着テープ
１７　バーコード
１９　補助粘着テープ
２１　バーコード遮蔽シート
２３　粘着テープ
２５　バーコード。
【図１】
2004083075.tif 000003
【図２】
2004083075.tif 000004
【図３】
2004083075.tif 000005
【図４】
2004083075.tif 000006
【図５】
2004083075.tif 000007
【図６】
2004083075.tif 000008
【図７】
2004083075.tif 000009
【図８】
2004083075.tif 000010
【図９】
2004083075.tif 000011
【図１０】
2004083075.tif 000012